(57)【要約】【課題】ブラケット本体とアーチワイヤの付け替えを必要としないで歯列の矯正を行うことができる歯列矯正用ブラケットを提供する。【解決手段】歯１１の曲面に合う接着面を備える接着板１２を有すると共に、これに接合される基台１３を有し、その上面である滑走面１４上に歯１１の上、下方向に摺動自在からなるブラケット本体１５が搭載されて有する歯列矯正用ブラケット１０であって、基台３の長手方向に沿って中間に目視可能な正中線１６を有し、基台１３の長手方向両辺部のそれぞれにブラケット本体１５の摺動用のレール部１７を有すると共に、レール部両端のそれぞれにブラケット本体１５の脱落防止用のストッパー部１８を有し、しかも、レール部１７両端のそれぞれにブラケット本体１５の歯の上、下方向の摺動の位置を固定するのに用いるリガチャーワイヤ１９を引っ掛けるためのフック２０を有する。【選択図】図１
2007151773.tif 000002
【特許請求の範囲】
【請求項１】
歯の曲面に合う接着面を備える接着板を有すると共に、該接着板に接合される平面視して略矩形状の基台を有し、該基台の上面である滑走面上に前記歯の上、下方向に摺動自在からなるブラケット本体が搭載されて有する歯の並び方を矯正するための歯列矯正用ブラケットであって、
前記基台の上面が前記滑走面の長手方向に沿って中間に目視可能な正中線を有する平面状からなり、前記基台の長手方向両辺部のそれぞれに前記ブラケット本体の摺動用のコ字状隙間からなるレール部を有すると共に、該レール部両端のそれぞれに前記ブラケット本体の脱落防止用のストッパー部を有し、しかも、前記レール部両端のそれぞれに前記ブラケット本体の前記歯の上、下方向の摺動の位置を固定するのに用いるリガチャーワイヤを引っ掛けるための前記滑走面から突出して前記レール部の上部が延設するフックを有することを特徴とする歯列矯正用ブラケット。
【請求項２】
請求項１記載の歯列矯正用ブラケットにおいて、前記ブラケット本体の底部が平面状からなると共に、該底部を横断し、該底部の表面から一部が盛り上がって突出する枕木状の円柱棒体からなる２本のスライディングバーを有し、しかも、該スライディングバーの前記ブラケット本体から延設して突出する両端部が前記基台の前記レール部に装着されることを特徴とする歯列矯正用ブラケット。
【請求項３】
請求項１記載の歯列矯正用ブラケットにおいて、前記ブラケット本体の底部に、平板状の板体からなるスライディングプレートを有すると共に、該スライディングプレートの前記ブラケット本体から延設して突出する両端部が前記基台の前記レール部に装着されることを特徴とする歯列矯正用ブラケット。
【請求項４】
歯の曲面に合う接着面を備える接着板を有すると共に、該接着板に接合される平面視して略矩形状の基台を有し、該基台の上面である滑走面上に前記歯の上、下方向に摺動自在からなるブラケット本体が搭載されて有する歯の並び方を矯正するための歯列矯正用ブラケットであって、
前記基台の上面が前記滑走面の長手方向に沿って中間に目視可能な正中線を有し、前記歯の上、下方向に対応する方向の中央部を上面側に突出する凸状彎曲からなり、前記基台の長手方向両辺部のそれぞれに前記ブラケット本体の摺動用のコ字状隙間からなるレール部を有すると共に、該レール部両端のそれぞれに前記ブラケット本体の脱落防止用のストッパー部を有し、しかも、前記レール部両端のそれぞれに前記ブラケット本体の前記歯の上、下方向の摺動の位置を固定するのに用いるリガチャーワイヤを引っ掛けるための前記滑走面から突出して前記レール部の上部が延設するフックを有することを特徴とする歯列矯正用ブラケット。
【請求項５】
請求項４記載の歯列矯正用ブラケットにおいて、前記ブラケット本体の底部が平面状、又は前記基台の前記凸状彎曲に対応できる形状の凹状彎曲からなると共に、該底部を横断し、該底部の表面から一部が盛り上がって突出する枕木状の円柱棒体からなる２本のスライディングバーを有し、しかも、該スライディングバーの前記ブラケット本体から延設して突出する両端部が前記基台の前記レール部に装着されることを特徴とする歯列矯正用ブラケット。
【請求項６】
請求項４記載の歯列矯正用ブラケットにおいて、前記ブラケット本体の底部が前記基台の前記凸状彎曲に対応できる形状の凹状彎曲からなるスライディングプレートを有すると共に、該スライディングプレートの前記ブラケット本体から延設して突出する両端部が前記基台の前記レール部に装着されることを特徴とする歯列矯正用ブラケット。
【発明の詳細な説明】
【技術分野】
【０００１】
本発明は、歯の並び方を矯正するための歯列矯正用ブラケットに関し、より詳細には、歯の遠心移動、近心移動の歯列の矯正を容易に行うことができると共に、歯の上、下の噛合いの矯正を必要とする歯の挺出、又は圧下の矯正を有効に行うことができる歯列矯正用ブラケットに関する。
【背景技術】
【０００２】
従来から、歯並びに悩む患者の歯列の矯正は、金属製や、樹脂製からなる複数個の歯列矯正用ブラケットを用い、それぞれの歯列矯正用ブラケットに連結して取り付けられたアーチワイヤで強制される弾性回復力によって行っている。この歯列矯正用ブラケットは、アーチワイヤを収納して保持するために設けられている溝であるアーチワイヤスロットの軸線を噛合い面線に平行にすると共に、ブラケット本体の中心を歯の軸線に合わせ、アーチワイヤを取り付けた時にアーチワイヤが略直線状態になれるようにしてブラケットポジションを設定し直接患者の複数の歯のそれぞれに接着剤で接合して固定している。これらの配列する歯列矯正用ブラケットは、アーチワイヤをアーチワイヤスロットに横断させるように保持して配設し、アーチワイヤの両方の終端をバッカルチューブに挿入すると共に、アーチワイヤを歯列矯正用ブラケットにオーリングで挿通自在に固定して連結している。そして、歯列の矯正は、適正な位置に前歯側から奥歯側への移動である遠心移動や、奥歯側から前歯側への移動である近心移動をさせることによって行っている。
【０００３】
通常、歯列の矯正には、叢生のような歯等の抜歯を行った後に、矯正を行うことが多いが、抜歯部分への他の歯の遠心移動や、近心移動を行うと同時に、小臼歯の上下の噛合いの修正や、捻転の除去を行う必要があるので、歯列矯正用ブラケットを歯に接合するためのブラケットポジションの設定が極めて重要となっている。また、抜歯を行わないものの、歯並びの悪い患者の歯列の矯正にも、歯列矯正用ブラケットを歯に接合する時のブラケットポジションの設定が極めて重要となっている。また、歯列矯正用ブラケットを歯のブラケットポジションに正確に接合させるためには、アーチワイヤスロットの軸線を噛合い面線と平行にするための位置や、方向性、ブラケット本体の中心を歯の軸線と合わせるための位置や、方向性、及び、歯に対するブラケット本体の傾きを正確に合わせることが重要となっている。
【０００４】
従来の歯列矯正用ブラケットには、アーチワイヤスロットの軸線を噛合い面線と平行にするための位置や、方向性、ブラケット本体の中心を歯の軸線と合わせための位置や、方向性を正確に合わせるために、アーチワイヤスロットの軸線を噛合い面線に平行にすると共に、ブラケット本体の中心を歯の軸線に合わせやすくできるようにするためのブラケット本体の表面に目視可能な交差する２つの基準線を設けるものが提案されている（例えば、特許文献１参照）。
また、従来の歯列矯正用ブラケットには、歯に対するブラケット本体の傾きを持たせながらアーチワイヤスロットの軸線を噛合い面線に平行に合わせやすくできるようにするために、ブラケット本体の表面のアーチワイヤスロットの軸線と垂直な面とが交差してできる輪郭線の全部又は一部に目印を設けるものが提案されている（例えば、特許文献２参照）。
【０００５】
【特許文献１】特開平８−１１２２９３号公報
【特許文献２】特開２００５−１９２９８９号公報
【発明の開示】
【発明が解決しようとする課題】
【０００６】
しかしながら、前述したような従来の歯列矯正用ブラケットは、次のような問題がある。
（１）小臼歯に歯列矯正用ブラケットを接合するためのブラケットポジションを正確に設定するには、熟練した技術と、経験が要求されるので、初心者には正確に矯正を行うことが難しく、ブラケット本体とアーチワイヤを幾度も付け替えなければならないという問題が発生し、矯正のための時間がかかると共に、患者に負担を掛けることとなっている。
（２）従来の歯に直接接合する歯列矯正用ブラケットは、ブラケットポジションに歯列矯正用ブラケットを正確に接合できたとした場合であっても、アーチワイヤを締め付けることで矯正を要する歯を適正な位置に遠心移動や、近心移動をさせることで上、下の歯の噛合いが変化するので、ブラケットポジションを矯正と共に、ブラケット本体とアーチワイヤを幾度も付け替えなければならないという問題が発生し、矯正のための時間がかかると共に、患者に負担を掛けることとなっている。
【０００７】
本発明はかかる事情に鑑みてなされたものであって、ブラケット本体とアーチワイヤの付け替えを必要としないで歯列の矯正を行うことができる歯列矯正用ブラケットを提供することを目的とする。
【課題を解決するための手段】
【０００８】
前記目的に沿う本発明に係る歯列矯正用ブラケットは、歯の曲面に合う接着面を備える接着板を有すると共に、接着板に接合される平面視して略矩形状の基台を有し、基台の上面である滑走面上に歯の上、下方向に摺動自在からなるブラケット本体が搭載されて有する歯の並び方を矯正するための歯列矯正用ブラケットであって、基台の上面が滑走面の長手方向に沿って中間に目視可能な正中線を有する平面状からなり、基台の長手方向両辺部のそれぞれにブラケット本体の摺動用のコ字状隙間からなるレール部を有すると共に、レール部両端のそれぞれにブラケット本体の脱落防止用のストッパー部を有し、しかも、レール部両端のそれぞれにブラケット本体の歯の上、下方向の摺動の位置を固定するのに用いるリガチャーワイヤを引っ掛けるための滑走面から突出してレール部の上部が延設するフックを有する。
【０００９】
ここで、上記の歯列矯正用ブラケットは、ブラケット本体の底部が平面状からなると共に、底部を横断し、底部の表面から一部が盛り上がって突出する枕木状の円柱棒体からなる２本のスライディングバーを有し、しかも、スライディングバーのブラケット本体から延設して突出する両端部が基台のレール部に装着されるのがよい。
【００１０】
又は、上記の歯列矯正用ブラケットは、ブラケット本体の底部に、平板状の板体からなるスライディングプレートを有すると共に、スライディングプレートのブラケット本体から延設して突出する両端部が基台のレール部に装着されるのがよい。
【００１１】
前記目的に沿う本発明に係る他の歯列矯正用ブラケットは、歯の曲面に合う接着面を備える接着板を有すると共に、接着板に接合される平面視して略矩形状の基台を有し、基台の上面である滑走面上に歯の上、下方向に摺動自在からなるブラケット本体が搭載されて有する歯の並び方を矯正するための歯列矯正用ブラケットであって、基台の上面が滑走面の長手方向に沿って中間に目視可能な正中線を有し、歯の上、下方向に対応する方向の中央部を上面側に突出する凸状彎曲からなり、基台の長手方向両辺部のそれぞれにブラケット本体の摺動用のコ字状隙間からなるレール部を有すると共に、レール部両端のそれぞれにブラケット本体の脱落防止用のストッパー部を有し、しかも、レール部両端のそれぞれにブラケット本体の歯の上、下方向の摺動の位置を固定するのに用いるリガチャーワイヤを引っ掛けるための滑走面から突出してレール部の上部が延設するフックを有する。
【００１２】
ここで、上記の他の歯列矯正用ブラケットは、ブラケット本体の底部が平面状、又は基台の凸状彎曲に対応できる形状の凹状彎曲からなると共に、底部を横断し、底部の表面から一部が盛り上がって突出する枕木状の円柱棒体からなる２本のスライディングバーを有し、しかも、スライディングバーのブラケット本体から延設して突出する両端部が基台のレール部に装着されるのがよい。
【００１３】
又は、上記の他の歯列矯正用ブラケットは、ブラケット本体の底部が基台の凸状彎曲に対応できる形状の凹状彎曲からなるスライディングプレートを有すると共に、スライディングプレートのブラケット本体から延設して突出する両端部が基台のレール部に装着されるのがよい。
【発明の効果】
【００１４】
請求項１又はこれに従属する請求項２又は３のいずれか一項記載の歯列矯正用ブラケットは、歯の曲面に合う接着面を備える接着板を有すると共に、接着板に接合される平面視して略矩形状の基台を有し、基台の上面である滑走面上に歯の上、下方向に摺動自在からなるブラケット本体が搭載されて有する歯の並び方を矯正するための歯列矯正用ブラケットであって、基台の上面が滑走面の長手方向に沿って中間に目視可能な正中線を有する平面状からなり、基台の長手方向両辺部のそれぞれにブラケット本体の摺動用のコ字状隙間からなるレール部を有すると共に、レール部両端のそれぞれにブラケット本体の脱落防止用のストッパー部を有し、しかも、レール部両端のそれぞれにブラケット本体の歯の上、下方向の摺動の位置を固定するのに用いるリガチャーワイヤを引っ掛けるための滑走面から突出してレール部の上部が延設するフックを有するので、ブラケット本体を基台上で歯の上、下方向に摺動させることで、ブラケット本体とアーチワイヤを付け替えることなくブラケットポジションを容易に設定変更でき、歯列矯正のための時間の軽減と、患者への負担を軽減することができる。また、歯の遠心移動や、近心移動によって発生する歯の上下の噛合いに変化があったとしても、噛合いの悪い歯の部分のブラケット本体と、基台のフックにリガチャーワイヤを引っ掛けて、ブラケット本体を上方向、又は下方向に引っ張ることで、歯を圧下、又は挺出させることができるので、噛合いの修正を患者に負担を掛けることなく容易に行うことができる。更に、基台に設けられたストッパー部によって、ブラケット本体は、基台からの脱落を防止することができるので、患者の口中の安全を確保することができる。
【００１５】
特に、請求項２記載の歯列矯正用ブラケットは、ブラケット本体の底部が平面状からなると共に、底部を横断し、底部の表面から一部が盛り上がって突出する枕木状の円柱棒体からなる２本のスライディングバーを有し、しかも、スライディングバーのブラケット本体から延設して突出する両端部が基台のレール部に装着されるので、ブラケット本体を基台上で容易に移動させることができる。
【００１６】
また、特に、請求項３記載の歯列矯正用ブラケットは、ブラケット本体の底部に、平板状の板体からなるスライディングプレートを有すると共に、スライディングプレートのブラケット本体から延設して突出する両端部が基台のレール部に装着されるので、ブラケット本体を基台上に密着させながらグラツキを少なくして移動させることができる。
【００１７】
請求項４又はこれに従属する請求項５又は６のいずれか一項記載の歯列矯正用ブラケットは、歯の曲面に合う接着面を備える接着板を有すると共に、接着板に接合される平面視して略矩形状の基台を有し、基台の上面である滑走面上に歯の上、下方向に摺動自在からなるブラケット本体が搭載されて有する歯の並び方を矯正するための歯列矯正用ブラケットであって、基台の上面が滑走面の長手方向に沿って中間に目視可能な正中線を有し、歯の上、下方向に対応する方向の中央部を上面側に突出する凸状彎曲からなり、基台の長手方向両辺部のそれぞれにブラケット本体の摺動用のコ字状隙間からなるレール部を有すると共に、レール部両端のそれぞれにブラケット本体の脱落防止用のストッパー部を有し、しかも、レール部両端のそれぞれにブラケット本体の歯の上、下方向の摺動の位置を固定するのに用いるリガチャーワイヤを引っ掛けるための滑走面から突出してレール部の上部が延設するフックを有するので、ブラケット本体を基台上で歯の上、下方向に摺動させることで、ブラケット本体とアーチワイヤを付け替えることなくブラケットポジションを容易に設定変更でき、歯並びよく矯正することができると共に、歯列矯正のための時間の軽減と、患者への負担を軽減させることができる。また、歯の遠心移動や、近心移動によって発生する歯の上下の噛合いに変化があったとしても、噛合いの悪い歯の部分のブラケット本体と、基台のフックにリガチャーワイヤを引っ掛けてブラケット本体を上方向、又は下方向に引っ張ることで、歯を圧下、又は挺出させることができるので、噛合いの修正を患者に負担を掛けることなく容易に行うことができる。更に、基台に設けられたストッパー部によって、ブラケット本体は、基台からの脱落を防止することができるので、患者の口中の安全を確保することができる。
【００１８】
特に、請求項５記載の歯列矯正用ブラケットは、ブラケット本体の底部が平面状、又は基台の凸状彎曲に対応できる形状の凹状彎曲からなると共に、底部を横断し、底部の表面から一部が盛り上がって突出する枕木状の円柱棒体からなる２本のスライディングバーを有し、しかも、スライディングバーのブラケット本体から延設して突出する両端部が基台のレール部に装着されるので、ブラケット本体を基台上で容易に移動させることができる。
【００１９】
また、特に、請求項６記載の歯列矯正用ブラケットは、ブラケット本体の底部が基台の凸状彎曲に対応できる形状の凹状彎曲からなるスライディングプレートを有すると共に、スライディングプレートのブラケット本体から延設して突出する両端部が基台のレール部に装着されるので、ブラケット本体を基台上に密着させながらグラツキを少なくして移動させることができる。
【発明を実施するための最良の形態】
【００２０】
続いて、添付した図面を参照しつつ、本発明を具体化した場合の最良の形態について説明し、本発明の理解に供する。
ここに、図１は本発明の一実施の形態に係る歯列矯正用ブラケット、他の歯列矯正用ブラケットの説明図、図２（Ａ）〜（Ｃ）はそれぞれ本発明の一実施の形態に係る歯列矯正用ブラケットの基台の平面図、Ａ−Ａ’線縦断面図、Ｂ−Ｂ’線拡大縦断面図、図３（Ａ）〜（Ｃ）はそれぞれ同歯列矯正用ブラケットのブラケット本体の平面図、Ｃ−Ｃ’線縦断面図、Ｄ−Ｄ’線縦断面図、図４（Ａ）〜（Ｃ）はそれぞれ同歯列矯正用ブラケットの他のブラケット本体の平面図、Ｅ−Ｅ’線縦断面図、Ｆ−Ｆ’線縦断面図、図５（Ａ）、（Ｂ）はそれぞれ同他の歯列矯正用ブラケットの基台の平面図、Ｇ−Ｇ’線縦断面図、図６（Ａ）、（Ｂ）はそれぞれ本発明の一実施の形態に係る他の歯列矯正用ブラケットのブラケット本体の平面図、Ｈ−Ｈ’線縦断面図、図７（Ａ）、（Ｂ）はそれぞれ同他の歯列矯正用ブラケットの変形例のブラケット本体の平面図、Ｉ−Ｉ’線縦断面図、図８（Ａ）〜（Ｃ）はそれぞれ同他の歯列矯正用ブラケットの他のブラケット本体の平面図、Ｊ−Ｊ’線縦断面図、Ｋ−Ｋ’線縦断面図、図９（Ａ）、（Ｂ）はそれぞれ本発明の一実施の形態に係る歯列矯正用ブラケット、他の歯列矯正用ブラケットを用いて歯の圧下矯正するときの説明図、図１０（Ａ）、（Ｂ）はそれぞれ本発明の一実施の形態に係る歯列矯正用ブラケット、他の歯列矯正用ブラケットを用いて歯の挺出矯正するときの説明図である。
【００２１】
図１、図２（Ａ）〜（Ｃ）、図３（Ａ）〜（Ｃ）、図４（Ａ）〜（Ｃ）を参照しながら、本発明の一実施の形態に係る歯列矯正用ブラケットを説明する。
図１に示すように、本発明の一実施の形態に係る歯列矯正用ブラケット１０、１０ａは、歯１１の曲面に合う接着面、例えば、中央部を凹ました凹状彎曲を備える接着板１２が取り付けられた平面視して略矩形状の基台１３を有し、この基台１３の接着板１２が歯１１に直接当接されて樹脂等からなる接着剤を介して接合されるようになっている。また、この歯列矯正用ブラケット１０、１０ａは、基台１３の上面である滑走面１４上に歯１１の上、下方向に摺動自在となるブラケット本体１５、１５ａが搭載されて有している。そして、この歯列矯正用ブラケット１０、１０ａは、歯１１の並び方を矯正するために用いられている。
【００２２】
図２（Ａ）〜（Ｃ）に示すように、歯列矯正用ブラケット１０、１０ａを構成する基台１３は、アルミナや、窒化アルミニウム等からなるセラミック、エポキシや、シリコン等からなる硬質樹脂、あるいは、ステンレスや、チタン合金等からなる金属等が用いられ、接着板１２で歯１１に接合できると共に、滑走面１４上にブラケット本体１５、１５ａが搭載できるように加工されている。また、この基台１３は、滑走面１４の長手方向に沿って中間となる位置に目視が可能な切り込みや、溝や、ケガキ等からなる正中線１６を有し、滑走面１４を含む上面が平面状に形成されている。この正中線１６によって、基台１３は、それぞれの歯１１の軸心に正確に合わせ易くすることができる。基台１３には、長手方向両辺部のそれぞれにブラケット本体１５、１５ａを両側から挟み込んで滑走面１４上を一定方向に平面状に摺動させるための断面視してコ字状隙間からなるレール部１７が設けられている。また、この基台１３には、レール部１７両端のそれぞれにブラケット本体１５、１５ａを滑走面１４から脱落させないための脱落防止用のストッパー部１８が設けられている。更に、この基台１３には、レール部１７両端のそれぞれにブラケット本体１５、１５ａの歯１１の上、下方向の摺動の位置を固定するのに用いられる樹脂や、スチールや、ステンレス等からなるリガチャーワイヤ１９（図１参照）を引っ掛けるための滑走面１４から突出し、レール部１７の上部が延設するフック２０が設けられている。なお、この基台１３の下面の形状は、図２（Ｂ）では平面状で示したが、特に限定するものではなく、例えば、平面状あってもよく、あるいは、歯１１の形状に倣うような歯１１の上、下方向に対応する方向の中央部を凹ました凹状彎曲であってもよい。
【００２３】
図３（Ａ）〜（Ｃ）に示すように、上記の歯列矯正用ブラケット１０に用いられるブラケット本体１５は、基台１３の滑走面１４上に載置される部分である底部２１が平面状からなっている。また、このブラケット本体１５には、底部２１に底部２１を横断し、この底部２１の表面から一部が盛り上がって突出する枕木状の円柱棒体からなり、基台１３の滑走面１４上に当接させて滑らすための２本のスライディングバー２２が適当な間隔を持って平行するようにして設けられている。しかも、このブラケット本体１５のスライディングバー２２は、ブラケット本体１５から延設して突出する両端部のそれぞれが基台１３のレール部１７に装着されるようになっている。スライディングバー２２の直径と、レール部１７のコ字状隙間の幅との間には、基台１３からブラケット本体１５がはずれ落ちることなく、基台１３の滑走面１４上をブラケット本体１５が摺動自在とできるようなクリアランスが設けられている。そして、基台１３のレール部１７に、ブラケット本体１５のスライディングバー２２が装着されることで、歯列矯正用ブラケット１０が作製されている。スライディングバー２２を基台１３の滑走面１４上に当接させて滑らすこの歯列矯正用ブラケット１０は、基台１３の滑走面１４と、ブラケット本体１５の底部２１との間の摩擦を軽減できるので、容易に所望する位置にブラケット本体１５を移動させることができる。
【００２４】
また、図４（Ａ）〜（Ｃ）に示すように、上記の歯列矯正用ブラケット１０に用いられるブラケット本体１５に代わって歯列矯正用ブラケット１０ａに用いられる他のブラケット本体１５ａは、基台１３の滑走面１４上に載置される部分である底部２１ａが平板状からなるスライディングプレート２３となっている。そして、このブラケット本体１５ａは、このスライディングプレート２３のブラケット本体１５ａから延設して突出する両端部の突出部２４のそれぞれが基台１３のレール部１７に装着されるようになっている。スライディングプレート２３の突出部２４の厚さと、レール部１７のコ字状隙間の幅との間には、基台１３からブラケット本体１５ａがはずれ落ちることなく、基台１３の滑走面１４上をブラケット本体１５ａが摺動自在とできるようなクリアランスが設けられている。そして、基台１３のレール部１７に、ブラケット本体１５ａのスライディングプレート２３が装着されることで、歯列矯正用ブラケット１０ａが作製されている。スライディングプレート２３を基台１３の滑走面１４上に当接させて滑らすこの歯列矯正用ブラケット１０ａは、基台１３の滑走面１４と、ブラケット本体１５ａの底部２１ａとの間が密着しているので、ブラケット本体１５ａを基台１３上で移動させて、基台１３上にグラツキが小さく安定させて載置することができる。
【００２５】
なお、上記のブラケット本体１５、１５ａには、基台１３に設けられた正中線１６と方向を一致させるために基台１３の摺動方向に沿う側の中間となる位置に目視が可能な切り込みや、溝や、ケガキ等からなる正中線１６ａを有するのがよい。
【００２６】
基台１３とブラケット本体１５で構成された歯列矯正用ブラケット１０、又は基台１３とブラケット本体１５ａで構成された歯列矯正用ブラケット１０ａを用いて、歯並びに悩む患者の歯列を矯正するためには、先ず、それぞれの歯１１のブラケットポジションに歯列矯正用ブラケット１０、１０ａを接着剤で接合して固定している。このブラケットポジションの設定は、ステンレスや、コバルト合金や、チタン合金等からなるアーチワイヤ２５（図１参照）を収納して保持するために設けられている溝であるブラケット本体１５、１５ａのアーチワイヤスロット２６の軸線を歯１１の噛合い面線に平行にすると共に、基台１３に設けられた正中線１６を歯１１の軸線に合わせ、アーチワイヤ２５を取り付けた時にアーチワイヤ２５が略直線状態になれるようにして行っている。そして、複数本のそれぞれの歯１１への接合は、それそれの基台１３に設けられている接着板１２の歯１１の曲面に合う接着面を接着剤で接合している。次いで、歯列の矯正には、丸型や、角型のアーチワイヤ２５をアーチワイヤスロット２６に横断させるように保持して配設している。更に、アーチワイヤ２５は、両方の終端を引っ張って固持するために歯１１に接着させたバッカルチューブ（図示せず）に挿入して締め付けるようにして取り付けて連結している。そして、歯列の矯正は、アーチワイヤ２５で強制される曲げ力や、引っ張り力によって、矯正を要する歯を適正な位置に前歯側から奥歯側への移動である遠心移動や、奥歯側から前歯側への移動である近心移動をさせることによって行っている。
【００２７】
なお、ブラケット本体１５、１５ａのアーチワイヤスロット２６の形状は、底部２１、２１ａに対して若干傾斜を持たせることで、アーチワイヤ２５がアーチワイヤスロット２６から外れ難くすることができる。また、必要に応じて、アーチワイヤ２５は、ブラケット本体１５、１５ａの摺動方向の両側部に、アーチワイヤスロット２６のための溝部を挟んで上、下方向外側まで延設するウイング２７にオーリング等の弾性体で締め付けてアーチワイヤスロット２６からの脱落を防止することができる。あるいは、必要に応じて、アーチワイヤ２５は、基台１３の滑走面１４上を摺動する摺動方向のブラケット本体１５、１５ａに設けられている貫通孔であるバーティカルスロット２８にピンや、スプリング等を差込んでアーチワイヤスロット２６からの脱落を防止することもできる。更に、ブラケット本体１５、１５ａのウイング２７の形状は、歯１１の上、下方向に傾斜した非対称で、下面側に曲がった曲面形状とすることで、唇の内側の傷付きを防止することができる。
【００２８】
次いで、図１、図５（Ａ）、（Ｂ）、図６（Ａ）、（Ｂ）、図７（Ａ）、（Ｂ）、図８（Ａ）〜（Ｃ）を参照しながら、本発明の一実施の形態に係る他の歯列矯正用ブラケットを説明する。
図１に示すように、本発明の一実施の形態に係る他の歯列矯正用ブラケット１０ｂ、１０ｃ、１０ｄは、本発明の一実施の形態に係る歯列矯正用ブラケット１０、１０ａの場合と同様に、歯１１の曲面に合う接着面、例えば、中央部を凹ました凹状彎曲を備える接着板１２が取り付けられた平面視して略矩形状の基台１３ａを有し、この基台１３ａの接着板１２が歯１１に直接当接されて樹脂等からなる接着剤を介して接合されるようになっている。また、この歯列矯正用ブラケット１０ｂ、１０ｃ、１０ｄは、基台１３ａの上面である滑走面１４上に歯１１の上、下方向に摺動自在となるブラケット本体１５、１５ｂ、１５ｃが搭載されて有している。そして、この歯列矯正用ブラケット１０ｂ、１０ｃ、１０ｄは、歯列矯正用ブラケット１０、１０ａの場合と同様に、歯１１の並び方を矯正するために用いられている。
【００２９】
図５（Ａ）、（Ｂ）に示すように、歯列矯正用ブラケット１０ｂ、１０ｃ、１０ｄを構成する基台１３ａは、基台１３の場合と同様に、アルミナや、窒化アルミニウム等からなるセラミック、エポキシや、シリコン等からなる硬質樹脂、あるいは、ステンレスや、チタン合金等からなる金属等が用いられ、接着板１２で歯１１に接合できると共に、滑走面１４上にブラケット本体１５、１５ｂ、１５ｃが搭載できるように加工されている。この基台１３ａは、滑走面１４の長手方向に沿って中間となる位置に目視が可能な切り込みや、溝や、ケガキ等からなる正中線１６を有し、滑走面１４を含む上面が歯１１の上、下方向に対応する方向の中央部を突出する凸状彎曲に形成されている。この正中線１６によって、基台１３ａは、それぞれの歯１１の軸心に正確に合わせ易くすることができる。そして、基台１３ａには、長手方向両辺部のそれぞれにブラケット本体１５、１５ｂ、１５ｃを両側から挟み込んで滑走面１４上の凸状彎曲に沿って摺動させるための断面視してコ字状隙間からなるレール部１７が設けられている。また、この基台１３ａには、レール部１７両端のそれぞれにブラケット本体１５、１５ｂ、１５ｃを滑走面１４から脱落させないための脱落防止用のストッパー部１８が設けられている。更に、この基台１３ａには、基台１３の場合と同様に、レール部１７両端のそれぞれにブラケット本体１５、１５ｂ、１５ｃの歯１１の上、下方向の摺動の位置を固定するのに用いられる樹脂や、スチールや、ステンレス等からなるリガチャーワイヤ１９を引っ掛けるための滑走面１４から突出し、レール部１７の上部が延設するフック２０が設けられている。なお、この基台１３ａの下面の形状は、図５（Ｂ）では基台１３ａの上面の凸状彎曲に倣うような、歯１１の上、下方向に対応する方向の中央部を凹ました凹状彎曲で示したが、特に形状を限定するものではなく、例えば、平面状あってもよい。
【００３０】
図６（Ａ）、（Ｂ）に示すように、上記の歯列矯正用ブラケット１０ｂに用いられるブラケット本体１５は、前述の歯列矯正用ブラケット１０に用いられるブラケット本体１５と同様の形態であり、基台１３ａの凸状彎曲に形成された滑走面１４上に載置される部分である底部２１が平面状からなっている。そして、このブラケット本体１５には、底部２１に表面から一部が盛り上がって突出する枕木状の円柱棒体からなる２本のスライディングバー２２が適当な間隔を持って平行するようにして設けられている。しかも、このブラケット本体１５のスライディングバー２２は、ブラケット本体１５から延設して突出する両端部のそれぞれが基台１３ａの凸状彎曲に形成されたレール部１７に装着されるようになっている。スライディングバー２２の直径と、レール部１７のコ字状隙間の幅との間には、基台１３ａからブラケット本体１５がはずれ落ちることなく、基台１３ａの滑走面１４上をブラケット本体１５が摺動自在とできるようなクリアランスが設けられている。そして、基台１３のレール部１７に、ブラケット本体１５のスライディングバー２２が装着されることで、歯列矯正用ブラケット１０ｂが作製されている。この歯列矯正用ブラケット１０ｂは、基台１３ａの凸状彎曲に形成された滑走面１４上に、底部２１が平面状からなるブラケット本体１５が載置されても、ブラケット本体１５の底部２１の表面から突出する２本のスライディングバー２２の突出程度、２本のスライディングバー２２の間隔程度、及び基台１３ａの凸状彎曲の曲率半径の程度によって、滑走面１４と底部２１との間に隙間を形成することができると共に、基台１３ａの滑走面１４と、ブラケット本体１５の底部２１との間の摩擦を軽減できるので、基台１３ａの滑走面１４上にブラケット本体１５を摺動自在にでき、容易に所望する位置にブラケット本体１５を摺動させることができる。
【００３１】
また、図７（Ａ）、（Ｂ）に示すように、上記の歯列矯正用ブラケット１０ｃに用いられるブラケット本体１５ｂは、基台１３ａの凸状彎曲に形成された滑走面１４上に載置される部分である底部２１が基台１３ａの凸状彎曲に対応できる形状の凹状彎曲からなっている。そして、このブラケット本体１５ｂには、ブラケット本体１５の場合と同様に、底部２１に表面から一部が盛り上がって突出する枕木状の円柱棒体からなる２本のスライディングバー２２が適当な間隔を持って平行するようにして設けられている。しかも、このブラケット本体１５ｂのスライディングバー２２は、ブラケット本体１５ｂから延設して突出する両端部のそれぞれが基台１３ａの凸状彎曲に形成されたレール部１７に装着されるようになっている。スライディングバー２２の直径と、レール部１７のコ字状隙間の幅との間には、基台１３ａからブラケット本体１５ｂがはずれ落ちることなく、基台１３ａの滑走面１４上をブラケット本体１５ｂが摺動自在とできるようなクリアランスが設けられている。そして、基台１３ａのレール部１７に、ブラケット本体１５ｂのスライディングバー２２が装着されることで、歯列矯正用ブラケット１０ｃが作製されている。この歯列矯正用ブラケット１０ｃは、ブラケット本体１５ｂの底部２１が基台１３ａの凸状彎曲に対応できる形状の凹状彎曲からなっているので、基台１３ａの滑走面１４上にブラケット本体１５ｂを摺動自在にでき、容易に所望する位置にブラケット本体１５ｂを摺動させることができる。
【００３２】
図８（Ａ）〜（Ｃ）に示すように、上記の歯列矯正用ブラケット１０ｂ、１０ｃに用いられるブラケット本体１５、１５ｂに代わって歯列矯正用ブラケット１０ｄに用いられる他のブラケット本体１５ｃは、基台１３ａの滑走面１４上に載置される部分である底部２１ａが基台１３ａの凸状彎曲に対応できる形状の凹状彎曲からなるスライディングプレート２３ａとなっている。そして、このブラケット本体１５ｃは、このスライディングプレート２３ａのブラケット本体１５ｃから延設して突出する両端部の突出部２４のそれぞれが基台１３ａのレール部１７に装着されるようになっている。スライディングプレート２３ａの突出部２４の厚さと、レール部１７のコ字状隙間の幅との間には、基台１３ａからブラケット本体１５ｃがはずれ落ちることなく、基台１３ａの滑走面１４上をブラケット本体１５ｃが摺動自在とできるようなクリアランスが設けられている。そして、基台１３ａのレール部１７に、ブラケット本体１５ｃのスライディングプレート２３ａが装着されることで、歯列矯正用ブラケット１０ｄが作製されている。この歯列矯正用ブラケット１０ｄは、ブラケット本体１５ｃのスライディングプレート２３ａの底部２１ａが基台１３ａの滑走面１４の凸状彎曲に対応できる形状の凹状彎曲からなっているので、基台１３ａの滑走面１４上にブラケット本体１５ｃを摺動自在にでき、容易に所望する位置にブラケット本体１５ｃを移動させることができる。
【００３３】
なお、上記のブラケット本体１５、１５ｂ、１５ｃには、基台１３ａに設けられた正中線１６と方向を一致させるために、基台１３ａの摺動方向に沿う側の中間となる位置に目視が可能な切り込みや、溝や、ケガキ等からなる正中線１６ａを有するのがよい。
【００３４】
基台１３ａとブラケット本体１５で構成された歯列矯正用ブラケット１０ｂ、基台１３ａとブラケット本体１５ｂで構成された歯列矯正用ブラケット１０ｃ、又は基台１３ａとブラケット本体１５ｃで構成された歯列矯正用ブラケット１０ｄを用いて、歯並びに悩む患者の歯列を矯正するためには、歯列矯正用ブラケット１０、１０ａの場合と同様の方法を用いて矯正することができるので、ここでは詳細な矯正方法の説明は省略する。
【００３５】
次いで、図１、図９（Ａ）、（Ｂ）、図１０（Ａ）、（Ｂ）を参照しながら、歯列矯正用ブラケット１０、１０ａ、１０ｂ、１０ｃ、１０ｄ（以下代表して、歯列矯正用ブラケット１０と記す。）を用いて、小臼歯等の上、下の噛合いの矯正を含めた歯列矯正を説明する。
歯列の矯正には、先ず、図１に示すように、複数本のそれぞれの歯１１のブラケットポジションに歯列矯正用ブラケット１０の基台１３、１３ａ（以下代表して、基台１３と記す。）に設けられた接着板１２が当接され接着剤で接合される。次に、それぞれの歯列矯正用ブラケット１０のブラケット本体１５、１５ａ、１５ｂ、１５ｃ（以下代表して、ブラケット本体１５と記す。）のアーチワイヤスロット２６には、アーチワイヤ２５を横断させるように保持して配設し、アーチワイヤ２５の両方の終端をバッカルチューブに挿入して連結している。次に、歯列の移動矯正は、矯正を要する歯を適正な位置に前歯側から奥歯側へ移動する遠心移動や、奥歯側から前歯側へ移動する近心移動で行っている。
【００３６】
次に、図９（Ａ）、（Ｂ）に示すように、小臼歯等の上、下の噛合いの矯正を要する歯１１の内の歯先側に突出している歯１１ａを圧下（歯根側に引っ込める）する場合には、歯列矯正用ブラケット１０の基台１３の歯先側のフック２０ａと、ブラケット本体１５の歯根側のウイング２７ｂにリガチャーワイヤ１９を取り付けて締め付けている。そして、歯先側に突出している歯１１ａは、ブラケット本体１５が歯１１ａの歯先側に押し出されることで、アーチワイヤ２５には圧下のための張力が働き、歯１１ａが歯根側に引っ込められることになっている。また、図１０（Ａ）、（Ｂ）に示すように、小臼歯等の上、下の噛合いの矯正を要する歯１１の内の歯根側に引き下がっている歯１１ｂを挺出（歯先側に引っ張り出す）する場合には、歯列矯正用ブラケット１０の基台１３の歯根側のフック２０ｂと、ブラケット本体１５の歯先側のウイング２７ａにリガチャーワイヤ１９を取り付けて締め付けている。そして、歯根側に引き下がっている歯１１ｂは、ブラケット本体１５が歯１１ｂの歯先側に押し出されることで、アーチワイヤ２５には挺出のための張力が働き、歯１１ｂが歯先側に引き出されることになっている。なお、基台１３にブラケット本体１５を固定するには、ブラケット本体１５を所望の位置に移動させた後、基台１３とブラケット本体１５との間の隙間に樹脂を充填し、硬化させて固定しても良い。
【産業上の利用可能性】
【００３７】
本発明の歯列矯正用ブラケットは、エッジワイズ歯列矯正法や、ティップエッジ歯列矯正法に適用することができる。
【図面の簡単な説明】
【００３８】
【図１】本発明の一実施の形態に係る歯列矯正用ブラケット、他の歯列矯正用ブラケットの説明図である。
【図２】（Ａ）〜（Ｃ）はそれぞれ本発明の一実施の形態に係る歯列矯正用ブラケットの基台の平面図、Ａ−Ａ’線縦断面図、Ｂ−Ｂ’線拡大縦断面図である。
【図３】（Ａ）〜（Ｃ）はそれぞれ同歯列矯正用ブラケットのブラケット本体の平面図、Ｃ−Ｃ’線縦断面図、Ｄ−Ｄ’線縦断面図である。
【図４】（Ａ）〜（Ｃ）はそれぞれ同歯列矯正用ブラケットの他のブラケット本体の平面図、Ｅ−Ｅ’線縦断面図、Ｆ−Ｆ’線縦断面図である。
【図５】（Ａ）、（Ｂ）はそれぞれ同他の歯列矯正用ブラケットの基台の平面図、Ｇ−Ｇ’線縦断面図である。
【図６】（Ａ）、（Ｂ）はそれぞれ本発明の一実施の形態に係る他の歯列矯正用ブラケットのブラケット本体の平面図、Ｈ−Ｈ’線縦断面図である。
【図７】（Ａ）、（Ｂ）はそれぞれ同他の歯列矯正用ブラケットの変形例のブラケット本体の平面図、Ｉ−Ｉ’線縦断面図である。
【図８】（Ａ）〜（Ｃ）はそれぞれ同他の歯列矯正用ブラケットの他のブラケット本体の平面図、Ｊ−Ｊ’線縦断面図、Ｋ−Ｋ’線縦断面図である。
【図９】（Ａ）、（Ｂ）はそれぞれ本発明の一実施の形態に係る歯列矯正用ブラケット、他の歯列矯正用ブラケットを用いて歯の圧下矯正するときの説明図である。
【図１０】（Ａ）、（Ｂ）はそれぞれ本発明の一実施の形態に係る歯列矯正用ブラケット、他の歯列矯正用ブラケットを用いて歯の挺出矯正するときの説明図である。
【符号の説明】
【００３９】
１０、１０ａ、１０ｂ、１０ｃ、１０ｄ：歯列矯正用ブラケット、１１、１１ａ、１１ｂ：歯、１２：接着板、１３、１３ａ：基台、１４：滑走面、１５、１５ａ、１５ｂ、１５ｃ：ブラケット本体、１６、１６ａ：正中線、１７：レール部、１８：ストッパー部、１９：リガチャーワイヤ、２０、２０ａ、２０ｂ：フック、２１、２１ａ：底部、２２：スライディングバー、２３、２３ａ：スライディングプレート、２４：突出部、２５：アーチワイヤ、２６：アーチワイヤスロット、２７、２７ａ、２７ｂ：ウイング、２８：バーティカルスロット
【図１】
2007151773.tif 000003
【図２】
2007151773.tif 000004
【図３】
2007151773.tif 000005
【図４】
2007151773.tif 000006
【図５】
2007151773.tif 000007
【図６】
2007151773.tif 000008
【図７】
2007151773.tif 000009
【図８】
2007151773.tif 000010
【図９】
2007151773.tif 000011
【図１０】
2007151773.tif 000012